(57)【特許請求の範囲】
【請求項１】
フレーム単位で、主データと、ヘッダ部分を示すＳＹＮＣパターンと前記主データの設定情報を示すビットパターンおよび余剰部分を有するＴＭＣＣとから構成される信号構成において、前記ＴＭＣＣの中の前記余剰部分に送信装置固有の識別情報を示すビットパターンを配置したことを特徴とする信号構成。
【請求項２】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、前記ＴＭＣＣの中の前記余剰部分に送信装置固有の識別情報を示すビットパターンを配置する手段を備えたことを特徴とする送信装置。
【請求項３】
フレーム単位で、主データと、ヘッダ部分を示すＳＹＮＣパターンと前記主データの設定情報を示すビットパターンおよび余剰部分を有するＴＭＣＣとから構成され、前記ＴＭＣＣの中の前記余剰部分に送信装置固有の識別情報を示すビットパターンが配置された信号構成の伝送信号を受信し、受信した前記伝送信号より前記送信装置固有の識別情報を示すビットパターンを抽出する手段を備えたことを特徴とする受信装置。
【請求項４】
請求項３記載の受信装置において、さらに、抽出した前記識別情報を示すビットパターンより前記識別情報を再生して表示する手段を備えたことを特徴とする受信装置。
【請求項５】
フレーム単位で、主データと、ヘッダ部分を示すＳＹＮＣパターンと前記主データの設定情報を示すビットパターンおよび余剰部分を有するＴＭＣＣとから構成される信号構成において、前記ＴＭＣＣの中の前記余剰部分に送信装置固有の識別情報を示すビットパターンを複数回配置したことを特徴とする信号構成。
【請求項６】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、前記ＴＭＣＣの中の前記余剰部分に送信装置固有の識別情報を示すビットパターンを複数回配置する手段を備えたことを特徴とする送信装置。
【請求項７】
フレーム単位で、主データと、ヘッダ部分を示すＳＹＮＣパターンと前記主データの設定情報を示すビットパターンおよび余剰部分を有するＴＭＣＣとから構成され、前記ＴＭＣＣの中の前記余剰部分に送信装置固有の識別情報を示すビットパターンが複数回配置された信号構成の伝送信号を受信し、受信した前記伝送信号より前記送信装置固有の識別情報を示すビットパターンを抽出し前記複数回のうちの多数回が検出されたとき前記送信装置固有の識別情報を示すビットパターンとして抽出する手段を備えたことを特徴とする受信装置。
【請求項８】
請求項７記載の受信装置において、さらに、抽出した前記識別情報を示すビットパターンより前記識別情報を再生して表示する手段を備えたことを特徴とする受信装置。
【請求項９】
フレーム単位で、主データと、ヘッダ部分を示すＳＹＮＣパターンと前記主データの設定情報を示すビットパターンおよび余剰部分を有するＴＭＣＣとから構成される信号構成において、送信装置固有の識別情報を示すビットパターンを、複数フレームの前記余剰部分に亘り配置したことを特徴とする信号構成。
【請求項１０】
フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、前記ＴＭＣＣの中の前記余剰部分に送信装置固有の識別情報を示すビットパターンを、複数フレームの前記余剰部分に亘り配置する手段を備えたことを特徴とする送信装置。
【請求項１１】
フレーム単位で、主データと、ヘッダ部分を示すＳＹＮＣパターンと前記主データの設定情報を示すビットパターンおよび余剰部分を有するＴＭＣＣとから構成され、送信装置固有の識別情報を示すビットパターンが、複数フレームの前記余剰部分に亘り配置された信号構成の伝送信号を受信し、複数フレームの前記余剰部分に亘り配置された前記送信装置固有の識別情報を示すビットパターンを抽出し前記複数のうちの多数が検出されたとき前記送信装置固有の識別情報を示すビットパターンとして抽出する手段を備えたことを特徴とする受信装置。
【請求項１２】
請求項１１記載の受信装置において、さらに、抽出した前記識別情報を示すビットパターンより前記識別情報を再生して表示する手段を備えたことを特徴とする受信装置。
【発明の詳細な説明】
【０００１】
【発明の属する技術分野】
本発明は、フレーム単位で、主データと、ヘッダ部分を示すＳＹＮＣパターンと主データの設定情報を示すビットパターンと、余剰部分を有するＴＭＣＣから構成される信号構成および送信装置ならびに受信装置に関する。
【０００２】
【従来の技術】
放送事業者に映像中継用として割り当てられている電波は、７ＧＨｚ帯や１０ＧＨｚ帯であり、全部で「４０ｃｈ」程度ある。同一地方においては、チャネル割り当てが重複しないよう配慮されている。従って、別地方の放送事業者には同一チャネルが割り当てられているので通常の使用であれば、特段問題はない。
【０００３】
しかし、各種イベントや事故等の中継のため、隣接地方に近い地域において映像中継を行う機会もある。
そのような状態で中継回線を確保しようとする際、その地域もしくは近隣地域で同一チャネルの電波が既に使用されていないかを、確認しなければならない。その電波発信源が、同じ放送局の他の中継作業班が送信している電波であれば、使用チャネルの変更等で回避できる。
しかし、その電波発信源が他局であり、既に本番の放送で使用していると、他局の中継に障害を与えることになる。
以上述べたように、このチャネル使用状況の確認は非常に重要である。
【０００４】
ところで、従来のアナログ方式であれば、受信電波が弱くても、砂嵐状態の画面ではあるが、かろうじて判別できる映像を得られることが多かった。そのため、受信したチャネルの番組内容から使用局、また本番での使用中等を確認することができた。
【０００５】
しかし、デジタル化されると、エラー訂正の限界点までは全く劣化のない映像が得られる反面、エラー訂正限界点を越えた状態では、全く映像として再生できない。この様な場合、上記のようなチャネル使用状況確認ができない。
【０００６】
代表的なデジタル伝送として、変調方式としてＯＦＤＭ（Orthogonal Frequency Division Multiplexing）を用いた構成を述べる。ＯＦＤＭ変調は、多数のキャリアを用いた伝送であり、主データの他に補助データ情報を送るＴＭＣＣ(Transmission and Multiplexing Configuration Control)と呼ばれるキャリアを持つ。
主データとは、映像や音声信号等をＭＰＥＧ処理で圧縮したトランスポートストリーム（以後ＴＳと呼ぶ）のことである。
【０００７】
数年前はアナログＦＭによる方法で映像や音声を伝送していた。アナログＦＭは、受信電界レベルによって映像や音声のＳＮが変化する。電界レベルの変化が激しいマラソン等の移動伝送においては、中継された映像は、ノイズや乱れの多い品位の低い信号となり易かった。
【０００８】
ＯＦＤＭ等のデジタル伝送は、情報をデジタル化し、かつ、エラー訂正処理を併用する。そのため、受信電界レベルが変化する状態でも、エラー訂正が働く範囲であれば、同一品位の映像を中継伝送できる。電界レベルが限界値を下回る状態にまで低下するとエラー訂正不能となり、画像伝送も不可能となる。
【０００９】
この限界値は、伝送するデータ量と相反する関係にある。
伝送量６０Ｍｂｐｓと多い、６４ＱＡＭ、畳み込み訂正５／６モードであれば、限界ＣＮは２２ｄＢ程度であり、受信電界の限界は約−７５ｄＢｍ以上が必要になる。伝送量１２Ｍｂｐｓと小さい、ＱＰＳＫ、畳み込み訂正１／２モードであれば、限界ＣＮは６ｄＢ程度であり、受信電界の限界は約−８９ｄＢｍ以上で映像を伝送できる。なお、伝送レートが低い場合は、ＭＰＥＧ処理にて圧縮率を高める結果、画質が低下する現象も生じる。
【００１０】
映像伝送する環境は、伝送距離や移動もしくは固定であるかによって、様々に変化する。使用ユーザは、伝送する環境に応じて、伝送量を重視したり、伝送限界を重視するかを決定し、使用モードを決定する。
【００１１】
デジタルＦＰＵは、このような要求に応じるため、６４ＱＡＭ、３２ＱＡＭ、１６ＱＡＭ、ＱＰＳＫと４種の変調設定を持つ。また、エラー訂正の強さも関連する畳み込み比率も、なし、５／６、３／４、２／３、１／２等の５種の訂正設定を持つ。
この設定モードは、送信側と受信側とで、同一に設定する必要がある。
なお、これらの送信側設定情報は、受信側に送れば、自動設定も可能となり、復調のモードを逐一設定が不要となる。
【００１２】
この設定を手動でなく自動設定させるための、設定情報をＴＭＣＣと呼ぶキャリアを用いて伝送する。
この設定情報は、全てにおいて、基本となるモードに関する情報であるため、伝送耐力の高いＢＰＳＫ変調されて伝送される。
【００１３】
受信側はＴＭＣＣキャリアの復調を行い、設定情報を再生して、主データのモードを求め、主データ受信部のモードを設定する。この機能を用いれば、送信側の設定を変更するのみで受信側のモード状態を自動設定できる。
【００１４】
６４ＱＡＭ〜ＱＰＳＫ、訂正等の概要を記載した参照資料として、映像情報メディア学会誌（Ｖｏｌ.５２  Ｎｏ１１  １９８８）のＰ３２〜３６等がある。
【００１５】
図２２に、従来の信号構成を示す。フレーム単位で、主データＤとＴＭＣＣから構成され、ＴＭＣＣは、ヘッダ部分を示すＳＹＮＣパターンと主データの設定情報を示すビットパターンと余剰部分を有する。
【００１６】
図２３に、図２２の信号構成の伝送信号を生成して送信する送信装置１０の構成を示す。映像入力は、ＭＰＥＧ−２エンコーダ１１に入力され圧縮データＤａｔａとなる。この圧縮データが主データとなる。変調モード等の設定情報が補助データとなる。
【００１７】
圧縮データＤａｔａは、伝送路符号化器１２によりデータＤｓとなる。
伝送路符号化器１２では、２０４Ｗ（ワード）周期に存在するコード４７ｈを検出し、８周期毎に４７ｈをＢ８ｈに置換するとともに、特定のパターンで信号を反転するエネルギー拡散処理を行い、データ順を並べ替えるインタリーブを行い、訂正用のパリティを付加しデータＤｓを作る。１Ｗは８ビットであるから、１３０５６ビット毎にＢ８ｈが存在することになる。
【００１８】
データＤｓは、主データ変調器１３に入力される。例えば所定データ毎にマッピングされ主データＤとなる。
【００１９】
主データＤを作成する条件である設定情報（正しくは設定情報を示すビットパターン）が、主データ変調器１３のモード設定端子とＴＭＣＣ発生器１４へ入力される。主データ変調器１３は、ＴＭＣＣ発生器１４からのフレームパルスに応じて変調動作を行う。主データ変調器１３で変調された出力主データＤとＴＭＣＣ発生器１４で変調された出力ＴＭＣＣは、フレームパルスを基準に動作する統合器１５によって合成された後にＯＦＤＭ変調され、１３０ＭＨｚを中心とした帯域約１７ＭＨｚのマルチキャリアからなるＩＦ信号となる。
【００２０】
統合器１５で生成されたＩＦ信号は、送信高周波部１６に送られて、マイクロ波の信号に周波数変換され電力増幅されて、ＲＦ信号となる。そしてアンテナ１７から電波として送信する。
【００２１】
図２４に、図２３の送信装置における主データ変調器１３の構成を示す。
設定情報は、時間軸変換器１３−１、エラー訂正符号付加器１３−２、符号化器１３−３に入力され、各部の動作モードを決定する。
【００２２】
時間軸変換器１３−１は、入力されたデータＤｓに、後段処理において作成されるパリティ、追加されるＴＭＣＣ、ＣＰ（パイロット信号）を挿入するための時間スペースを空ける時間軸変換を行う。本動作は、フレーム信号を基準として、クロック発振器１３−４からのクロックに従い行われる。空き時間スペース確保のため、入力の速度よりも部分的に早い速度で動作する。
【００２３】
エラー訂正符号付加器１３−２は、入力されたデータから演算を行いパリティ信号を作成し付加する。本動作は、フレーム信号を基準として、クロック発振器１３４からのクロックに従い行われる。パリティは、前段で空けた時間スペースに付加される。
なお、前段の時間軸変換処理の処理遅延時間分を考慮し、フレーム信号入力後所定時間経過後処理を開始する。以降の処理も前段での処理遅延を考慮の上フレーム信号を基準として動作を開始する。
【００２４】
符号化器１３−３は、設定情報で指示された変調モードに応じ、入力データビットをまとめ、Ｉ軸とＱ軸にマッピングする。６４ＱＡＭモードであれば、入力された６ビットをひとまとめとし、８×８の６４点の何れかに相当する信号に変換する。この６ビットのまとめ処理も、フレーム信号を基準として行う。
１６ＱＡＭモードが指定されていたら、４ビットを一まとめにして４×４の１６点の何れかに相当する信号に変換して、図２２に示す主データＤを、フレーム単位で出力する。
クロック発振器１３−４は、前述の各処理器に動作用の一定周波数ＣＫを与える。
【００２５】
図２５に、図２３の送信装置におけるＴＭＣＣ発生器１４の構成を示す。
外部からの設定情報は、設定情報発生器１４−２に入力される。フレーム信号は、ＭＵＸ１４−６に入力される。ＭＵＸ１４−６には、ＳＹＮＣ発生器１４−１、設定情報発生器１４−２からの出力が、入力される。
ＭＵＸ１４−６は、入力されるフレーム信号に従い、フレーム単位で、入力されているＳＹＮＣコード、設定情報を順次切り替えて、図２２に示すＴＭＣＣを構成するＳＹＮＣコード、設定情報、余剰部分を、フレーム単位で出力する。
【００２６】
図２６に、図２３の送信装置における統合器１５の構成を示す。
ＳＥＬ／ＣＰ挿入器１５−１は、フレーム信号を基準として、入力である主データＤ、もうひとつの入力であるＴＭＣＣ、自己で発生する基準パイロットであるＣＰとを、フレーム信号を基準タイミングとして選択する。
【００２７】
その動作を図２７に示す。主データ変換器１３からの主データＤには、ＴＭＣＣ、ＣＰの時間スペースを空けてあるため、その空き期間にＴＭＣＣとＣＰを選択し、挿入する。
【００２８】
図２６の統合器１５の次段のＩＦＦＴ器１５−２に入力される信号は、例えば８データ毎にＣＰが挿入され、ＴＭＣＣも予め指定した空き時間スペースに割り当てられる。
【００２９】
引き続き各部の動作を説明する。
ＩＦＦＴ器１５−２は、例えば１０２４ヶのデータを周波数成分とみなして、約５０μｓ時間分の波形を作成することで、マルチキャリア変調を行う。最初に入力されたデータは、最も低いキャリアの変調を決定し、次に入力されたデータは２番目に低い周波数のキャリアの変調を決定する。以後これを１０２４回続ける。この結果、１シンボルと呼ぶ約５０μｓ時間分の波形が作成出力される。なお、この動作もフレーム信号を基準に開始される。
【００３０】
ガード付加器１５−３は、入力信号の終了部分の１／１６シンボル期間相当の波形をシンボルの時間空きスペースに配置し、１７／１６シンボル期間の波形を作成する。１シンボルの信号の一部分１／１６期間は、２回出力されることになる。なおこの期間をガードインターバルと呼ぶ。なお、この動作もフレーム信号を基準に開始される。
【００３１】
直交変調器１５−４は、入力信号をＤＡコンバータ１５−４１でＤＡ変換によりベースバンドのアナログ信号に変換し、ローカル発振器１５−４３からのローカル周波数相当分にミキサー１５−４２で周波数変換してＩＦ信号を出力する。
【００３２】
統合器１５の出力であるＩＦ信号は図２３の送信高周波部１６に入力され、ＲＦ信号となる。
【００３３】
図２８に、図２３の送信装置における送信高周波部１６の出力であるＯＦＤＭ変調波の概念図を示す。
全キャリアのイメージを上図に示す。
多数の搬送波のマルチキャリアから構成される。
【００３４】
搬送波の内訳は、その大多数が白で示す、データキャリアであり、Ｄａｔａ情報を基に変調されている。符号化が６４ＱＡＭの場合、ある１キャリアは６ビットの情報で決定される。
【００３５】
またドットで示す、ローカル発振器１５−４３（図２６）の周波数ズレ及び位相振幅のズレを測定するためのＣＰキャリアが、一定間隔毎に挿入される。通常は一定値で変調されている。
【００３６】
さらに斜線で示す、ＴＭＣＣ情報を送るためのＴＭＣＣキャリアが存在する。これは１ビットのＢＰＳＫで符号化される。
この搬送波は、１シンボル期間毎に次の情報に変更される。
なお、これらの周波数配置は時間によらず一定である。
【００３７】
ここで、ＣＰキャリアは一定振幅かつ位相で変調されているため、その振幅＆位相のズレを所定の一定値に戻す位相振幅の逆補正を全キャリアに対して後述の受信装置における図３０の分離部２３における補正部２３−７で行う。これによりデータキャリアを含め送信時の状態に近い振幅と位相とする。
【００３８】
なお、データキャリアは符号化された６ビットの組み合わせによって、振幅位相ともに変化するため、伝送路の歪み補正に用いることは困難であり、一定情報で変調されているＣＰキャリアが不可欠である。
【００３９】
図２９に、図２２の信号構成の伝送信号を受信する受信装置２０の構成を示す。受信アンテナ２１に到達した電波のＲＦ信号は、受信高周波部２２に入力される。受信高周波部２２は微弱な信号を増幅し、１３０ＭＨｚ帯の中間周波信号ＩＦに変換する。このＩＦ信号は分離部２３に入力される。
【００４０】
このＩＦ信号は、分離部２３によって、主データＤとＴＭＣＣとに分離復調される。それぞれの信号は主データ復調器２４とＴＭＣＣ再生器２５に入力される。なおＴＭＣＣ再生器２５が入力データから抽出した情報を基に再生したフレームパルスを、主データ復調器２４に送る。
【００４１】
分離部２３、主データ復調器２４は、フレームパルスを基準として復調を行う。
さらに、ＴＭＣＣ再生器２５が抽出した各種設定情報は、主データ復調器２４のモード設定端子に接続され、出力データＤｓを作成する条件を決定する。主データ復調器２４の出力データＤｓは、伝送路復号化器２６に入力される。
【００４２】
この伝送路復号化器２６は、例えば１３０５６ビット周期に存在するＢ８ｈのコードを検出し、この位置を基準に発生したパルスより、逆エネルギー拡散のパターンを発生させる。次に、この逆エネルギー拡散のパターン信号を用いて、データＤｓの逆処理を行い、かつエラー訂正を行い、Ｄａｔａを復元して、ＭＰＥＧ−２デコーダ２７に送る。
【００４３】
ＭＰＥＧ−２デコーダ２７では、復元したＤａｔａをデータ伸長し、送信装置１０での圧縮前のデータに戻す。
【００４４】
図３０に、図２９の受信装置における分離部２３の構成を示す。
図２９の受信装置における受信高周波部２２の出力信号ＩＦは、直交復調器２３−１に入力され、ベースバンド帯域に周波数変換された後、デジタル信号となる。この出力はＦＦＴ器２３−２に入力され、周波数成分が変換され、低い周波数の成分から順番に出力される。なお、フレーム信号を基に作成したＦＳＴvｃパルスと、ＣＫを基準に変換が行われる。
【００４５】
同期再生部２３−３は、フレーム信号と自己発生しているＦＳＴvｃパルスの位相差に基づいて、ＣＫの周波数を制御する。また、各部へ動作の基準とするＦＳＴvｃパルスを供給する。
【００４６】
補正器２３―７は、入力されたＣＰの位相と振幅から、伝送路で生じた歪みを全帯域の信号に対し補正する。また、直交復調器２３−１内の発振器２３−１３の周波数と位相を制御して、歪みを除去する。
なお、これらの動作は、フレーム信号を基に作成したＦＳＴvｃパルスと、ＣＫを基準に行われる。
【００４７】
補正器２３―７の出力は、Ｄ選択器２３−５とＴＭＣＣ選択器２３−６に入力される。Ｄ選択器２３−５は、フレーム信号を基に作成したＦＳＴvｃパルスと、ＣＫを基準に、データＤに相当する部分のみをゲートして出力する変換が行われる。
ＴＭＣＣ選択器２３−６も、フレーム信号を基に作成したＦＳＴvｃパルスと、ＣＫを基準に動作し、ＴＭＣＣに相当する部分のみをゲートして出力する。
【００４８】
図３１に、図２９の受信装置における主データ復調器２４の構成を示す。
設定情報は、復号化器２４―１、エラー訂正器２４−２、時間軸変換器２４−３に入力され、各部の動作モードを決定する。
【００４９】
復号化器２４−１は、入力されたデータＤのマッピング点を基に、送られたデータ値を識別する。対象とする信号の有無については、フレーム信号を元に作成したＦＳＴvｃパルスと、ＣＫを基準に処理のタイミングが決定される。
【００５０】
エラー訂正器２４−２は、識別された信号のパリティ情報を基に、エラー訂正を行う。なお、この変換も、フレーム信号を元に作成したＦＳＴvｃパルスと、ＣＫを基準に行われる。
【００５１】
時間軸変換器２４−３は、エラー訂正され間欠的に存在する信号を連続データに変換する。なお、この変換も、フレーム信号を元に作成したＦＳＴｃパルスと、ＣＫを基準に行われる。
なお１フレームは、２０４シンボルから構成されるものとして説明する。
【００５２】
図３２に、図２９の受信装置におけるＴＭＣＣ再生器２５の構成を示す。
入力されたＴＭＣＣは、ＳＹＮＣ検出２５−３、シリパラ変換器２５−１に入力される。ＳＹＮＣ検出器２５−３の出力は、フレームカウンタ２５−４のリセット端子、遅延器２５−１４に入力される、フレームカウンタ２５−４からは、所定のタイミングでパラレル化された情報を捕捉するためのラッチ信号が出力される。送信側から送られた設定情報は、このラッチ２５−２で捕捉され、出力される。
遅延器２５−１４はＳＹＮＣ抽出信号を１フレーム期間遅延させ、フレーム信号として出力する。
【００５３】
【発明が解決しようとする課題】
以上に記載したように、デジタル情報の伝送にあって、主データは、６４ＱＡＭ、３２ＱＡＭ、１６ＱＡＭ、ＱＰＳＫ変調されて伝送されるが、伝送状態が悪いと、主データを再生することができない。
【００５４】
ただしＴＭＣＣの伝送は、エラー耐性の高いＢＰＳＫもしくはＤＢＰＳＫと呼ばれるモードで変調されているので、主データを再生できなくとも、ＴＭＣＣは再生可能で、主データの伝送と比べて、非常に高い信頼性を持っている。
【００５５】
ここで他局との干渉について、説明する。
図２０を用いて、本来Ｂ局に優先権のあるＭチャンネル（主データ）を、Ａ局が予定に反して使用しているケースについて説明する。ただし、Ｂ本局受信機２０ｒｘＢとＡ局出先送信機１０ｔｘＡからの距離が近い場合とする。
Ｂ局はＭチャンネルの使用を調査する。ただし、Ｂ本局受信機２０ｒｘＢとＡ局出先送信機１０ｔｘＡからの距離が近いので、Ｂ局出先送信機１０ｔｘＡ以外からの電波レベルの方が強い。そのため伝送内容はエラー無く伝わり、後段のコーデックは正常なデコード処理を行い、映像Ａの内容がＢ本局受信機２０ｒｘＢでも判る。
従って、Ｂ局はＭチャンネルの使用者を特定でき、優先権をＡ局に連絡することで、Ａ局の使用を停止させ、Ｍチャンネルを使用できる。
なお、Ａ局がＭチャンネルの使用を中止しない状態で仮にＢ局がＭチャンネルを強行使用しても、Ａ局出先送信機からの電波が強く、干渉により伝送は困難である。
【００５６】
次に、図２１を用いて、Ｄ本局受信機２０ｒｘＤとＣ局出先送信機１０ｔｘＣからの距離が遠い場合を説明する。
Ｄ局はＮチャンネル（主データ）の使用を調査する。ただし、Ｄ本局受信機２０ｒｘＤとＣ局出先送信機１０ｔｘＣからの距離が遠いため、Ｃ局出先送信機１０ｔｘＣからＮチャンネルに電波が出されていることは受信電界メータ等によって、かろうじて判る。しかし、電波レベルが弱いと伝送内容にエラーが多く、後段のコーデックは正常なデコード処理を行えず、映像Ｃの内容は判らない。
従って、Ｄ局はＮチャンネルの使用者を特定できないので、優先権を連絡する相手局の送信装置が判らず、Ｎチャンネルを使用できない。
仮にＮチャンネルを強行使用しても、Ｄ局出先送信機からの伝播状態が低下した場合、Ｃ局出先送信機からの干渉により安定な伝送回線を保てない等の問題も生じる。
【００５７】
一般に、定期的に放映された番組である、ドラマやバラエティであれば、映像内容から、局を容易に推定できる。しかし、事件等の場合、現場の映像からでは使用している局の特定は至難の技となる。
しかし、伝送耐性の高い部分に、局名をコード化した値を予め挿入してあれば、そのコードに従った局名を表示することで、容易に使用している相手局の送信装置を特定できる。
【００５８】
また、特段優先権のないチャネル（主データ）を用いて事前に伝送テストを行う場合、仮に他局が本番で使用している状態では、万が一にも干渉を与えると一大事であるため、伝送テストを控える必要がある。
しかし、本番もしくはテストであることを示す識別情報が入っていれば、本番であるかないかが明確になり、伝送テストを控えなくても済む。
【００５９】
一定地点に装置を据え付けて伝送する半固定と呼ばれるケースでは、他局から届く電波の強弱は殆ど一定となる。従って、一度干渉を受けないことを確認すれば、しばらくの期間は干渉状態の大幅な変化は無いと推測できる。しかし、送信地点が時々刻々変化する移動の場合、送信点が近づき他局からの電波が強くなるケースもある。そのため、一度干渉を受けないことを確認しても、数分後には干渉状態の大幅な変化が生じることもあり得る。
しかし、移動伝送もしくは半固定であることを示す識別情報が入っていれば、短期間での干渉状態の大幅な変化有無を容易に推定できる。
したがって、以上の情報判定は、耐性の高いＴＭＣＣを用い、かつ、できれば情報挿入頻度を多くすれば、図２１のように、電波状態が弱い場合でも、所定チャネルの内容を把握することが可能となる。
【００６０】
本発明の目的は、主データが再生できなくとも主データを送信している送信装置を認識することが可能な信号構成および送信装置ならびに受信装置を提供することにある。
【００６１】
本発明の他の目的は、主データが再生できなくとも主データを送信している送信装置を、より電波状態の悪い状況でも、より確実に認識することが可能な信号構成および送信装置ならびに受信装置を提供することにある。
【００６２】
【課題を解決するための手段】
本発明は、フレーム単位で、主データと、ヘッダ部分を示すＳＹＮＣパターンと前記主データの設定情報を示すビットパターンおよび余剰部分を有するＴＭＣＣとから構成される信号構成において、前記ＴＭＣＣの中の前記余剰部分に送信装置固有の識別情報を示すビットパターンを配置したことを特徴とする信号構成である。
【００６３】
本発明は、フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、前記ＴＭＣＣの中の前記余剰部分に送信装置固有の識別情報を示すビットパターンを配置する手段を備えたことを特徴とする送信装置である。
【００６４】
本発明は、フレーム単位で、主データと、ヘッダ部分を示すＳＹＮＣパターンと前記主データの設定情報を示すビットパターンおよび余剰部分を有するＴＭＣＣとから構成され、前記ＴＭＣＣの中の前記余剰部分に送信装置固有の識別情報を示すビットパターンが配置された信号構成の伝送信号を受信し、受信した前記伝送信号より前記送信装置固有の識別情報を示すビットパターンを抽出する手段を備えたことを特徴とする受信装置である。
【００６５】
本発明は、さらに、抽出した前記識別情報を示すビットパターンより前記識別情報を再生して表示する手段を備えたことを特徴とする受信装置である。
【００６６】
本発明は、フレーム単位で、主データと、ヘッダ部分を示すＳＹＮＣパターンと前記主データの設定情報を示すビットパターンおよび余剰部分を有するＴＭＣＣとから構成される信号構成において、前記ＴＭＣＣの中の前記余剰部分に送信装置固有の識別情報を示すビットパターンを複数回配置したことを特徴とする信号構成である。
【００６７】
本発明は、フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、前記ＴＭＣＣの中の前記余剰部分に送信装置固有の識別情報を示すビットパターンを複数回配置する手段を備えたことを特徴とする送信装置である。
【００６８】
本発明は、フレーム単位で、主データと、ヘッダ部分を示すＳＹＮＣパターンと前記主データの設定情報を示すビットパターンおよび余剰部分を有するＴＭＣＣとから構成され、前記ＴＭＣＣの中の前記余剰部分に送信装置固有の識別情報を示すビットパターンが複数回配置された信号構成の伝送信号を受信し、受信した前記伝送信号より前記送信装置固有の識別情報を示すビットパターンを抽出し前記複数回のうちの多数回が検出されたとき前記送信装置固有の識別情報を示すビットパターンとして抽出する手段を備えたことを特徴とする受信装置である。
【００６９】
本発明は、さらに、抽出した前記識別情報を示すビットパターンより前記識別情報を再生して表示する手段を備えたことを特徴とする受信装置である。
【００７０】
本発明は、フレーム単位で、主データと、ヘッダ部分を示すＳＹＮＣパターンと前記主データの設定情報を示すビットパターンおよび余剰部分を有するＴＭＣＣとから構成される信号構成において、送信装置固有の識別情報を示すビットパターンを、複数フレームの前記余剰部分に亘り配置したことを特徴とする信号構成である。
【００７１】
本発明は、フレーム単位で、主データと、ヘッダ部分を示すＳＹＮＣパターンと前記主データの設定情報を示すビットパターンおよび余剰部分を有するＴＭＣＣとから構成される信号構成を送信する送信装置において、前記ＴＭＣＣの中の前記余剰部分に送信装置固有の識別情報を示すビットパターンを、複数フレームの前記余剰部分に亘り配置する手段を備えたことを特徴とする送信装置である。
【００７２】
本発明は、フレーム単位で、主データと、ヘッダ部分を示すＳＹＮＣパターンと前記主データの設定情報を示すビットパターンおよび余剰部分を有するＴＭＣＣとから構成され、送信装置固有の識別情報を示すビットパターンが、複数フレームの前記余剰部分に亘り配置された信号構成の伝送信号を受信し、複数フレームの前記余剰部分に亘り配置された前記送信装置固有の識別情報を示すビットパターンを抽出し前記複数のうちの多数が検出されたとき前記送信装置固有の識別情報を示すビットパターンとして抽出する手段を備えたことを特徴とする受信装置である。
【００７３】
本発明は、さらに、抽出した前記識別情報を示すビットパターンより前記識別情報を再生して表示する手段を備えたことを特徴とする受信装置である。
【００７４】
【発明の実施の形態】
図１に、本発明の信号構成の第１の実施の形態を示す。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターンを配置のＴＭＣＣ２からなるＴＭＣＣから構成される。
【００７５】
図２に、図１の信号構成の伝送信号を生成して送信する送信装置１０の構成を示す。従来の図２２の構成と比べた相違点は、識別情報発生器１４ｃを追加し、ＴＭＣＣ発生器１４の出力を従来の図２２のＴＭＣＣからＴＭＣＣ１に表示を変え、統合器を１５から１５ｃに変えた点にある。
【００７６】
識別情報発生器１４ｃの出力ＴＭＣＣ２は統合器３ｃに入力される。
ＴＭＣＣ発生器１４からのフレームパルスは、識別情報発生器１４ｃに入力される。
伝送路符号化器１２からの出力データＤｓは、主データ変調器１３に入力される。
【００７７】
統合器１５ｃで生成されたＩＦ信号は、送信高周波部１６に送られて、マイクロ波の信号に周波数変換され、そして電力増幅されて、送信アンテナ１７から電波ＲＦとなり送信される。
【００７８】
ここで、識別情報発生器１４ｃでは、フレームパルスに基づき、主データＤとＴＭＣＣ１とのタイミングに合わせたシンボルに、識別情報を挿入したキャリアを発生する。そして、伝送路符号化器１２のＰＮリセット信号に同期したフレーム信号を発生する。
【００７９】
ＴＭＣＣ発生器１４は、フレーム信号に同期して、図２１に示したようなＴＭＣＣ１を発生しており、余剰部分の期間に、識別情報（正しくは識別情報を示すビットパターン）を含むＴＭＣＣ２が挿入されるように動作する。統合する信号系統数を１ヶ増した統合器１５ｃを経由し、変調処理された出力データＤと一致した変調波となる。
【００８０】
図３に、図２の送信装置における識別情報発生器１４ｃの構成を示す。識別情報器１４ｃ−２０は、ｎビットの識別情報をＭＵＸ１４ｃ−６に出力する。ＭＵＸ１４ｃ−６は、タイミング発生器１４ｃ−５からのフレーム信号に同期して、識別情報のビットを１ビットずつ選択し、ＴＭＣＣ２を発生する。
【００８１】
次に、図１を用いて、図３の識別情報発生器１４ｃの動作を示す。
図１の時刻ｔ０１からｔ０２の期間は、図２のＴＭＣＣ発生器１４がＳＹＮＣと設定情報で変調したＴＭＣＣ１を出力する。
図１の時刻ｔ０２からｔ０３の期間は識別情報発生器１４ｃが識別情報で変調したＴＭＣＣ２を出力する。
図１の時刻０３以降ｔ１０までは余剰部分用データで変調されたＴＭＣＣ１がＴＭＣＣ発生器１４から出力される。
【００８２】
図４に、図２の送信装置における統合器１５ｃの構成を示す。従来の図２５の構成と比べた相違点は、ＳＣＬ／ＣＰ挿入器１５−１を１５ｃ−１に変え、ＴＭＣＣ２を入力して、図１の信号構成とした点にある。
【００８３】
ＳＥＬ／ＣＰ挿入器１５ｃ−１は、フレーム信号を基準として、入力である主データＤ、第２の入力であるＴＭＣＣ１、第３の入力であるＴＭＣＣ２、自己で発生する基準パイロットであるＣＰとを、フレーム信号を基準タイミングとして選択する。
【００８４】
主データ変換器１３からの主データＤには、ＴＭＣＣ１、ＴＭＣＣ２、ＣＰの時間スペースを空けてあるため、その空き期間にＴＭＣＣ１とＴＭＣＣ２とＣＰを選択し、挿入する。
【００８５】
図５に、図１の信号構成の伝送信号を受信する受信装置２０の構成を示す。従来の図２９の構成と比べた相違点は、識別情報再生器２５ｃと局名変換器２８と表示器２９を追加した点にある。
【００８６】
受信アンテナ２１に到達した電波のＲＦ信号は、受信高周波部２２に入力され、１３０ＭＨｚ帯の中間周波信号ＩＦに変換される。このＩＦ信号は分離部２３に入力される。分離部２３からのＴＭＣＣ信号は、ＴＭＣＣ再生器２５と識別情報再生器２５ｃに入力される。識別情報再生器２５ｃは、ＴＭＣＣの後半にある識別情報を再生し出力する。
【００８７】
識別情報再生器２５ｃからの識別情報は、局名変換器２８に入力され、局名に変換される。変換された局名は、表示器２９に入力され、局名として文字化され、表示される。具体的には、アルファベット３文字程度からなるＴＢＳ、ＮＨＫ、ＮＴＶ等である。
【００８８】
図６に、図５の受信装置における識別情報再生器２５ｃの構成を示す。入力ＴＭＣＣは、シリパラ変換器２５ｃ−１、ＳＹＮＣ検出器２５ｃ−３に入力される。シリパラ変換器２５ｃ−１の出力はラッチ２５ｃ−２に入力される。ＳＹＮＣ検出器２５ｃ−３の出力は、フレームカウンタ２５ｃ−４のリセット端子に入力される。フレームカウンタ２５ｃ−４は、シリパラ変換器２５ｃ−１へのタイミング信号と、ラッチ２５ｃ−２へのタイミング信号を出力する。
【００８９】
次に、動作について述べる。フレームカウンタ２５ｃ−４は、図１の時刻０２から時刻ｔ０３にシリアル化され変調されている識別情報を、所定のタイミングでパラレル化し、そのパラレル情報をラッチ２５ｃ−２で捕捉し、識別情報として出力する。
【００９０】
図７に、本発明の信号構成の第２の実施の形態を示す。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターンを複数回配置のＴＭＣＣ２からなるＴＭＣＣから構成される。この図７では、送信装置固有の識別情報を示すビットパターンを、３回配置した例である。
【００９１】
図８に、図７の信号構成の伝送信号を生成して送信する送信装置１０の構成を示す。図２の構成と比べた相違点は、識別情報発生器を１４ｃから１４ｄに変えた点にある。
【００９２】
図９に、図８の送信装置における識別情報発生器１４ｄの構成を示す。
識別情報器１４ｄ−２０は、ｎビットの識別情報を第１の情報としてＭＵＸ１４ｄ−６に入力する。識別情報器１４ｄ−２１は、ｎビットの識別情報を第２の情報としてＭＵＸ１４ｄ−６に入力する。識別情報器１４ｄ−２２は、ｎビットの識別情報を第３の情報としてＭＵＸ１４ｄ−６に入力する。ＭＵＸ１４ｄ−６は、タイミング発生器１４ｄ−５からのフレーム信号に同期して、識別情報のビットを１ビットずつ選択し、ＴＭＣＣ２を発生して出力する。
【００９３】
次に、図９の識別情報発生器１４ｄの動作を示す。
図７の時刻ｔ０１からｔ０２の期間は、図８のＴＭＣＣ発生器１４がＳＹＮＣと設定情報で変調したＴＭＣＣ１キャリアを出力するため、変調処理は停止する。
図７の時刻ｔ０２からｔ０３の期間は、第１の識別情報が、ＭＵＸ１４ｄ−６によって変調されて、ＴＭＣＣ２を出力する。
図７の時刻ｔ０３からｔ０４の期間は第２の識別情報が、ＭＵＸ１４ｄ−６によって変調されて、ＴＭＣＣ２を出力する。
図７の時刻ｔ０４からｔ１０の期間は第３の識別情報が、ＭＵＸ１４ｄ−６によって変調されて、ＴＭＣＣ２を出力する。
なお、第１から第３の識別情報は同一であるため、識別情報がＴＭＣＣ２キャリアとして変調された３回繰り返して出力される。
図７の時刻ｔ１０以降は、上記ｔ０１からｔ１０と同じ情報が繰り返えされる。
【００９４】
図１０に、図７の信号構成の伝送信号を受信する受信装置２０の構成を示す。図５の構成と比べた相違点は、識別情報再生器を２５ｃから２５ｄに変えた点にある。
【００９５】
図１１に、図１０の受信装置における識別情報再生器２５ｄの構成を示す。入力ＴＭＣＣは、シリパラ変換器２５ｄ−１、ＳＹＮＣ検出器２５ｄ−３に入力される。シリパラ変換器２５ｄ−１の出力はラッチ２５ｄ−２とラッチ２５ｄ−２ｂとラッチ２５ｄ−２ｃに入力される。ＳＹＮＣ検出器２５ｄ−３の出力は、フレームカウンタ２５ｄ−４のリセット端子に入力される。
【００９６】
フレームカウンタ２５ｄ−４は、シリパラ変換器２５ｄ−１へのタイミング信号と、ラッチ２５ｄ−２へのタイミング信号、ラッチ２５ｄ−２ｂへのタイミング信号、ラッチ２５ｄ−２ｃへのタイミング信号を出力する。
【００９７】
ラッチ２５ｄ−２とラッチ２５ｄ−２ｂとラッチ２５ｄ−２ｃの出力は、多数決器２５ｄ−５に入力される。多数決器２５ｄ−５の出力は識別情報として出力される。
【００９８】
次に、動作について述べる。フレームカウンタ２５ｄ−４は、図７の時刻ｔ０２からｔ０３に相当する期間に変調され時分割化（シリアル化）されている識別情報を１ビットずつ集めパラレル化した後、その情報をラッチ２５ｄ−２で捕捉する。さらに図７の時刻ｔ０３からｔ０４に相当する期間にシリアル化されている第２の識別情報をパラレル化し、その情報をラッチ２５ｄ−２ｂで捕捉する。続いて図７の時刻ｔ０４からｔ１０に相当する期間にシリアル化されている第３の識別情報をパラレル化し、その情報をラッチ２５ｄ−２ｃで捕捉する。
【００９９】
捕捉された３つの識別情報は、多数決器２５ｄ−５において多数決判定され、識別情報として出力する。これは伝送状態が悪く、何れか１つの識別情報に誤りがあっても多数決によって正常な情報を得られる。
【０１００】
識別情報再生器２５ｄからの識別情報は、図１０の受信装置における局名変換器２８に入力され、局名に変換される。変換された局名は、表示器２９に入力され、局名として文字化され、表示される。
【０１０１】
図１２に、本発明の信号構成の第３の実施の形態を示す。
信号構成は、フレーム単位で、主データＤと、ヘッダ部分を示すＳＹＮＣパターンと主データＤの設定情報を示すビットパターンと、余剰部分を有するＴＭＣＣから構成されるＴＭＣＣ１と、ＴＭＣＣ１の中の余剰部分に送信装置固有の識別情報を示すビットパターンを、複数フレームの余剰部分に亘り配置したＴＭＣＣ２からなるＴＭＣＣから構成される。この図１２では、フレーム単位で識別情報を１ビットずつ配置した例である。
【０１０２】
図１３に、図１２の信号構成の伝送信号を生成して送信する送信装置１０の構成を示す。図２の構成と比べた相違点は、識別情報発生器を１４ｃから１４ｅに変えた点にある。
【０１０３】
図１４に、図１３の送信装置における識別情報発生器１４ｅの構成を示す。
識別情報器１４ｅ−２０は、ｎビットの識別情報をシリパラ変換器１４ｅ−３１に入力する。シリパラ変換器１４ｅ−３１の出力はＭＵＸ１４ｅ−６に入力する。タイミング発生器１４ｅ−５からのタイミング信号は、シリパラ変換器１４ｅ−３１へ入力される。タイミング発生器１４ｅ−５からのフレーム信号は、ＭＵＸ１４ｅ―６へ入力される。
【０１０４】
次に、図１４の送信装置における識別情報発生器１４ｅの動作を示す。
シリパラ変換器１４ｅ−３１は、タイミング発生器１４ｅ−５からのタイミング信号によって、識別情報のビットを１ビットずつ出力する。本例では１フレーム毎に１ビットずつ切り替えていく。
【０１０５】
ＭＵＸ１４ｅ−６は、タイミング発生器１４ｅ−５からの信号に同期して、識別情報のビットによって変調されたＴＭＣＣ２を発生し、出力する。
【０１０６】
その結果、図１２の時刻ｔ０１からｔ０２の期間は、図１３のＴＭＣＣ発生１４がＳＹＮＣと設定情報で変調したＴＭＣＣ１キャリアを出力するため、変調処理は停止する。
図１２の時刻ｔ０２からｔ１０の期間は、識別情報を構成する１ビットが、ＭＵＸ１４ｅ−６によって変調されて、ＴＭＣＣ２が出力される。
識別情報をｎビットとすれば、ｎフレーム期間を要して識別情報がＴＭＣＣ２で変調され出力される。
なお、識別情報の開始点を把握するための、開始パターンをｍビット追加し、ｍ＋ｎフレームをかけて、全ビットの変調ＴＭＣＣ２が出力される構成でも良い。
【０１０７】
図１５に、図１２の信号構成の伝送信号を受信する受信装置２０の構成を示す。図５の構成と比べた相違点は、識別情報再生器を２５ｃから２５ｅに変えた点にある。
【０１０８】
図１６に、図１５の受信装置における識別情報再生器２５ｅの構成を示す。入力ＴＭＣＣは、判定器２５ｅ−２０、ＳＹＮＣ検出器２５ｅ−３に入力される。判定器２５ｅ−２０の出力は、シリパラ変換器２５ｅ−１に入力される。シリパラ変換器２５ｅ−１の出力はラッチ２５ｅ−２に入力される。ＳＹＮＣ検出器２５ｅ−３の出力は、フレームカウンタ２５ｅ−４のリセット端子に入力される。フレームカウンタ２５ｅ−４は、判定器２５ｅ−２０へのタイミング信号と、シリパラ変換器２５ｅ−１にタイミング信号を、ラッチ２５ｅ−２へのタイミング信号を出力する。ラッチ２５ｅ−２の出力は識別情報として出力される。
【０１０９】
次に、図１７を用いて、図１６の識別情報再生器２５ｅの動作について述べる。フレームカウンタ２５ｅ−４は、図１７の毎フレームの時刻ｔ１に、判定器２５ｅ−２０へタイミング信号を出力する。時刻ｔ１から時刻ｔ３にかけて、多数回であるＫ回伝送された識別情報のビットが、半数以上１であるか０であるかを１の数を積算し、例えばＫ／２回以上発生したか否かを調べ、１か０を決定する。シリパラ変換器２５ｅ−１は、時刻ｔ４において、識別情報のビット１をタイミングパルスに従い取り込む。以後は上記の動作を識別情報を構成するビット数であるｎ回行い、１フレームに１ビットずつ決まる計ｎビットをパラレル化する。
【０１１０】
次に、複数のフレームに渡る全体の動作について図１８を用い、ｎビットを３ビットとした例で説明する。
【０１１１】
時刻ｔ００からのフレームにおいて、識別情報の第０ビット目が時刻ｔ０２からｔ１０までで伝送される。時刻ｔ０３にて判定が終了し、判定器２５ｅ−２０から結果が出力される。シリパラ変換器２５ｅ−１は第０ビット目を取り込む。
【０１１２】
同様に時刻ｔ１０からの次フレームで送られ、判定された第１ビットを時刻ｔ１３にシリパラ変換器２５ｅ−１は取り込む。さらに時刻ｔ２０からの次々フレームで送られ、判定された第２ビットを時刻ｔ２３にシリパラ変換器２５ｅ−１は取り込む。
【０１１３】
識別情報を構成する全３ビットの判定結果がパラレル化された３フレーム後のｔ３３において、ラッチ２５ｅ−２は、シリパラ変換器２５ｅ−１に並ぶデータを捕捉し、識別情報とする。
【０１１４】
これによって、伝送状態が非常に悪く、１フレーム当たりＫ回伝送した識別情報ビットに数多くの誤りがあっても、その数がＫ／２未満であれば、判定によって正常な情報を得られる。
【０１１５】
識別情報再生器２５ｅからの識別情報は、図１５の受信装置における局名変換器２８に入力され、局名に変換される。変換された局名は、表示器２９に入力され、局名として文字化され、表示される。
【０１１６】
図１９に、識別情報を含むＴＭＣＣの例を示す。
【０１１７】
以上述べた発明の実施の形態では、主データ変調器と、識別情報発生器、ＴＭＣＣ発生器が個別に変調動作を行うとして説明したが、主データ変調器、識別情報発生器、ＴＭＣＣ発生器は、変調されるデータ成分の生成のみで、統合器がＩＦＦＴ処理を行う構成であっても良い。
【０１１８】
また以上述べた発明の実施の形態では、ＴＭＣＣ１とＴＭＣＣ２は別個の処理ブロックで生成する条件で説明を行なったが、ＳＹＮＣ、設定情報、識別情報、余剰部分を順次切り換えて行く構成とした、一つの処理ブロックでも良い。また識別情報発生器、ＴＭＣＣ発生器を一緒にして、一つのＴＭＣＣ発生器で、信号構成を生成するようにしても良い。
【０１１９】
【発明の効果】
本発明によれば、主データが再生できなくとも主データを送信している送信装置を認識することが可能な信号構成および送信装置ならびに受信装置を得ることができる。また本発明によれば、主データが再生できなくとも主データを送信している送信装置を、より電波状態の悪い状況でも、より確実に認識することが可能な信号構成および送信装置ならびに受信装置を得ることができる。
【図面の簡単な説明】
【図１】本発明の信号構成の第１の実施の形態を示す図である。
【図２】図１の信号構成の伝送信号を生成して送信する送信装置の構成を示す図である。
【図３】図２の送信装置における識別情報発生器の構成を示す図である。
【図４】図２の送信装置における統合器の構成を示す図である。
【図５】図１の信号構成の伝送信号を受信する受信装置の構成を示す図である。
【図６】図５の受信装置における識別情報再生器の構成を示す図である。
【図７】本発明の信号構成の第２の実施の形態を示す図である。
【図８】図７の信号構成の伝送信号を生成して送信する送信装置の構成を示す図である。
【図９】図８の送信装置における識別情報発生器の構成を示す図である。
【図１０】図７の信号構成の伝送信号を受信する受信装置の構成を示す図である。
【図１１】図１０の受信装置における識別情報再生器の構成を示す図である。
【図１２】本発明の信号構成の第３の実施の形態を示す図である。
【図１３】図１２の信号構成の伝送信号を生成して送信する送信装置の構成を示す図である。
【図１４】図１３の送信装置における識別情報発生器の構成を示す図である。
【図１５】図１２の信号構成の伝送信号を受信する受信装置の構成を示す図である。
【図１６】図１５の受信装置における識別情報再生器の構成を示す図である。
【図１７】図１６の識別情報再生器の動作を示す図である。
【図１８】図１６の識別情報再生器の複数のフレームに渡る全体の動作を示す図である。
【図１９】識別情報を含むＴＭＣＣの例を示す図である。
【図２０】他局との干渉を示す第１の場合の説明図である。
【図２１】他局との干渉を示す第２の場合の説明図である。
【図２２】従来の信号構成を示す図である。
【図２３】図２２の信号構成の伝送信号を生成して送信する送信装置の構成を示す図である。
【図２４】図２３の送信装置における主データ変調器の構成を示す図である。
【図２５】図２３の送信装置におけるＴＭＣＣ発生器の構成を示す図である。
【図２６】図２３の送信装置における統合器の構成を示す図である。
【図２７】図２３の送信装置の動作を示す図である。
【図２８】ＯＦＤＭ変調波の概念図を示す図である。
【図２９】図２２の信号構成の伝送信号を受信する受信装置の構成を示す図である。
【図３０】図２９の受信装置における分離部の構成を示す図である。
【図３１】図２９の受信装置における主データ復調器の構成を示す図である。
【図３２】図２９の受信装置におけるＴＭＣＣ再生器の構成を示す図である。
【符号の説明】
１０：送信装置、１１：ＭＰＥＧー２エンコーダ、１２：伝送路符号化器、１３：主データ変調器、１３−１：時間軸変換器、１３−２：エラー訂正符号付加器、１３−３：符号化器、１３−４：クロック発振器、１４：ＴＭＣＣ発生器、１４ｃ，１４ｄ，１４ｅ：識別情報発生器、１４−１：ＳＹＮＣ発生器、１４−２：設定情報発生器、１４−５：フレーム発生器、１４−６，１４ｃ−６，１４ｄ−６，１４ｅ−６：ＭＵＸ、１４ｃ−５，１４ｄ−５，１４ｅ−５：タイミング発生器、１４ｃ−２０，１４ｄ−２０，１４ｄ−２１，１４ｄ−２２，１４ｅ−２０：識別情報器、１４ｅ−３１：シリパラ変換器、１５，１５ｃ：統合器、１５−１，１５ｃ−１：ＳＥＬ／ＣＰ挿入器、１５−２：ＩＦＦＴ器、１５−３：ガード付加器、１５−４：直交変調処理器、１５−４１：ＤＡコンバータ、１５−４２：ミキサー、１５−４３：ローカル発振器、１６：送信高周波器、１７：送信アンテナ、２０：受信装置、２１：受信アンテナ、２２：受信高周波部、２３：分離部、２３−１：直交復調器、２３−２：ＦＦＴ器、２３−３：同期再生器、２３−４：電圧制御ＣＫ発生器、２３−５：Ｄ選択器、２３−６：ＴＭＣＣ選択器、２３−７：補正器、２４：主データ復調器、２４−１：復号化器、２４−２：エラー訂正器、２４−３：時間軸変換器、２５：ＴＭＣＣ再生器、２５ｃ，２５ｄ，２５ｅ：識別情報再生器、２５−１，２５ｃ−１，２５ｄ−１，２５ｅ−１：シリパラ変換器、２５−２，２５ｃ−２，２５ｄ−２，２５ｄ−２ｂ，２５ｄ−２ｃ，２５ｅ−２：ラッチ、２５−３，２５ｃ−３，２５ｄ−３，２５ｅ−３：ＳＹＮＣ検出器、２５−４，２５ｃ−４，２５ｄ−４，２５ｅ−４：フレームカウンタ、２５−１４：遅延器、２５ｄ−５：多数決器、２５ｅ−２０：判定器、２６：伝送路復号化器、２７：ＭＰＥＧ−２デコーダ、２８：局名変換器、２９：表示器。
【図１】
0004018925.tif 000002
【図２】
0004018925.tif 000003
【図３】
0004018925.tif 000004
【図４】
0004018925.tif 000005
【図５】
0004018925.tif 000006
【図６】
0004018925.tif 000007
【図７】
0004018925.tif 000008
【図８】
0004018925.tif 000009
【図９】
0004018925.tif 000010
【図１０】
0004018925.tif 000011
【図１１】
0004018925.tif 000012
【図１２】
0004018925.tif 000013
【図１３】
0004018925.tif 000014
【図１４】
0004018925.tif 000015
【図１５】
0004018925.tif 000016
【図１６】
0004018925.tif 000017
【図１７】
0004018925.tif 000018
【図１８】
0004018925.tif 000019
【図１９】
0004018925.tif 000020
【図２０】
0004018925.tif 000021
【図２１】
0004018925.tif 000022
【図２２】
0004018925.tif 000023
【図２３】
0004018925.tif 000024
【図２４】
0004018925.tif 000025
【図２５】
0004018925.tif 000026
【図２６】
0004018925.tif 000027
【図２７】
0004018925.tif 000028
【図２８】
0004018925.tif 000029
【図２９】
0004018925.tif 000030
【図３０】
0004018925.tif 000031
【図３１】
0004018925.tif 000032
【図３２】
0004018925.tif 000033